(57)【要約】  コスト増を抑えつつ、被空調空間の各吹出エリアにおける情報を検知可能な空気調和機の室内機を得ることを目的とし、センサ部２が接続された空気調和機の室内機であって、センサ部２は、回転する可動部２２に固定された人検知センサ３及び床温検知センサ４を備え、人検知センサ３は、人検知センサ３の検知方向における人の有無を検知し、床温検知センサ４は、床温検知センサ４の検知方向における床面の温度を検知し、人検知センサ３の個数と床温検知センサ４の個数が等しく、その個数は被空調空間への吹出口の数未満である。
2016121064.tif 000002
【特許請求の範囲】
【請求項１】
センサ部が接続された空気調和機の室内機であって、
前記センサ部は、回転する可動部に固定された人検知センサ及び床温検知センサを備え、
前記人検知センサは、前記人検知センサの検知方向における人の有無を検知し、
前記床温検知センサは、前記床温検知センサの検知方向における床面の温度を検知し、
前記人検知センサの個数と前記床温検知センサの個数が等しく、前記個数が被空調空間への吹出口の数未満であることを特徴とする空気調和機の室内機。
【請求項２】
前記人検知センサの前記床温検知センサに対する配置角度が９０°であることを特徴とする請求項１に記載の空気調和機の室内機。
【請求項３】
前記人検知センサの前記床温検知センサに対する配置角度１８０°であることを特徴とする請求項１に記載の空気調和機の室内機。
【請求項４】
前記人検知センサは、赤外線放射エネルギーの変動を検知することによって、検知方向における人の有無を検知する赤外線センサであり、
前記床温検知センサは、赤外線放射エネルギーを検知することによって、検知方向における床面の温度を検知する赤外線センサであることを特徴とする請求項１から請求項３のいずれか一項に記載の空気調和機の室内機。
【請求項５】
前記センサ部は、被空調空間に露出されていることを特徴とする請求項１から請求項４のいずれか一項に記載の空気調和機の室内機。
【請求項６】
人検知センサ及び床温検知センサを備えるセンサ装置であって、
前記人検知センサ及び前記床温検知センサは、回転する可動部に固定されており、
前記人検知センサは、前記人検知センサの検知方向における人の有無を検知し、
前記床温検知センサは、前記床温検知センサの検知方向における床面の温度を検知し、
前記人検知センサの個数と前記床温検知センサの個数が等しく、
前記人検知センサ及び前記床温検知センサの検知結果は外部出力可能であることを特徴とするセンサ装置。
【請求項７】
前記人検知センサの前記床温検知センサに対する配置角度が９０°であることを特徴とする請求項６に記載のセンサ装置。
【請求項８】
前記人検知センサの前記床温検知センサに対する配置角度が１８０°であることを特徴とする請求項６に記載のセンサ装置。
【請求項９】
前記人検知センサは、赤外線放射エネルギーの変動を検知することによって、検知方向における人の有無を検知する赤外線センサであり、
前記床温検知センサは、赤外線放射エネルギーを検知することによって、検知方向における床面の温度を検知する赤外線センサであることを特徴とする請求項６から請求項８のいずれか一項に記載のセンサ装置。
【請求項１０】
請求項６から請求項９のいずれか一項に記載のセンサ装置が据え付けられたことを特徴とするセンサ付化粧パネル。
【請求項１１】
複数のベーンを備え、
前記センサ装置は、前記複数のベーンの各々の導風方向によって区分けされた複数のエリア毎に人検知及び床温検知を行い、
人検知及び床温検知を行う度に前記可動部が回転することで前記複数のエリアにおける人検知及び床温検知を行うことを特徴とする請求項１０に記載のセンサ付化粧パネル。
【発明の詳細な説明】
【技術分野】
【０００１】
本発明は、被空調空間における人の有無及び床面の温度を検知するセンサ部を備える空気調和機の室内機、このセンサ部により構成されるセンサ装置及びこのセンサ部を備えるセンサ付化粧パネルに関する。
【背景技術】
【０００２】
従来、被空調空間における人の有無を検知し、この検知結果である被空調空間における人の分布状態に応じて動作モードを変更する空気調和機が知られている。また、被空調空間における床温を検知して、この検知結果である被空調空間における床面の温度に応じて動作モードを変更する空気調和機が知られている。このような空気調和機では、被空調空間における人の分布状態及び床面の温度に応じて適切な動作が可能であるため、消費電力を抑え、快適性を向上させることができる。【０００３】
一例である特許文献１には、「ケーシングに複数の吹出口と空調室における情報を検知するセンサとが設けられた空気調和装置の天井設置型室内ユニットにおいて、効果的に各吹出エリアにおける情報を検知できるようにする」ことを課題とし、「空気調和装置１の天井設置型室内ユニット４は、空調室の天井に設けられるものであって、ケーシング５１と、複数の人検知センサ６２ａ〜６２ｄとを有している。ケーシング５１は、空調空気を空調室内に吹き出す複数の吹出口５６ａ〜５６ｄを有している。人検知センサ６２ａ〜６２ｄは、各吹出口５６ａ〜５６ｄに対応するようにケーシング５１に設けられ、空調室における人の存在の有無を検知する。そして、各人検知センサ６２ａ〜６２ｄの検知エリアＡ、Ｂ、Ｃ、Ｄは、各吹出口５６ａ〜５６ｄから吹き出される空調空気の気流が到達する吹出エリアＡ’、Ｂ’、Ｃ’、Ｄ’に合わせられている」空気調和装置の天井設置型室内ユニットが開示されている。なお、特許文献１においては、「人検知センサ集合体６２」及び「床温度センサ６３」が設けられており、「人検知センサ集合体６２は、空調室における情報としての空調室内における人の分布（ここでは、吹出エリアＡ’、Ｂ’、Ｃ’、Ｄ’における人の存在の有無）を検知する複数（ここでは、４つ）のエリアセンサとしての人検知センサ６２ａ、６２ｂ、６２ｃ、６２ｄの集合体である」と記載されている。
【先行技術文献】
【特許文献】
【０００４】
【特許文献１】特開２０１１−１７４７０５号公報
【発明の概要】
【発明が解決しようとする課題】
【０００５】
しかしながら、上記従来の技術によれば、天井設置型室内ユニットの吹出口の各々に人検知センサが設置される。そのため、吹出口の数に応じた個数の人検知センサが必要であり、コストの増加を招く、という問題があった。【０００６】
本発明は、上記に鑑みてなされたものであって、コスト増を抑えつつ、被空調空間のすべての吹出エリアにおける情報を効率よく検知可能な空気調和機の室内機を得ることを目的とする。
【課題を解決するための手段】
【０００７】
上述した課題を解決し、目的を達成するために、本発明に係る空気調和機の室内機は、センサ部が接続された空気調和機の室内機であって、前記センサ部は、回転する可動部に固定された人検知センサ及び床温検知センサを備え、前記人検知センサは、前記人検知センサの検知方向における人の有無を検知し、前記床温検知センサは、前記床温検知センサの検知方向における床面の温度を検知し、前記人検知センサの個数と前記床温検知センサの個数が等しく、前記個数が被空調空間への吹出口の数未満であることを特徴とする。
【発明の効果】
【０００８】
本発明に係る空気調和機の室内機は、コスト増を抑えつつ、被空調空間のすべての吹出エリアにおける情報を効率よく検知可能であるという効果を奏する。
【図面の簡単な説明】
【０００９】
【図１】実施の形態１に係る空気調和機の室内機に装着されるセンサ付化粧パネルの一例を被空調室内から見た外観と、センサが検知する検知エリアとを示す図
【図２】実施の形態１に係る空気調和機の室内機に装着されるセンサ付化粧パネルが備えるセンサ部の構成の一例を示す図
【図３】実施の形態１における人検知センサと床温検知センサの配置位置の一例を示す図
【図４】実施の形態１に係る空気調和機の室内機に装着されるセンサ付化粧パネルが備えるセンサ部の構成の一例を示す図
【図５】実施の形態１における人検知センサと床温検知センサの配置位置の一例を示す図
【図６】実施の形態１に係る空気調和機の室内機に装着されるセンサ付化粧パネルが設置された被空調空間の一例を示す図
【図７】実施の形態１に係る空気調和機の室内機、人検知センサ及び床温検知センサの一構成例を示すブロック図
【図８】実施の形態１に係る空気調和機の室内機、人検知センサ及び床温検知センサの一動作例を示す図
【図９】実施の形態２に係る空気調和機の室内機、人検知センサ及び床温検知センサの一構成例を示すブロック図
【図１０】実施の形態２に係る空気調和機の室内機、人検知センサ及び床温検知センサの一動作例を示す図
【図１１】実施の形態３に係るセンサ装置の構成の一例を示す図
【図１２】実施の形態３に係るセンサ装置と、既存の室内機との一構成例を示すブロック図
【図１３】実施の形態３に係るセンサ装置と、既存の室内機との一構成例を示すブロック図
【発明を実施するための形態】
【００１０】
以下に、本発明の実施の形態に係る空気調和機の室内機、センサ装置及びセンサ付化粧パネルを図面に基づいて詳細に説明する。なお、この実施の形態によりこの発明が限定されるものではない。
【００１１】
実施の形態１．
図１は、本実施の形態１に係る空気調和機の室内機に装着されるセンサ付化粧パネルの一例を被空調室内から見た外観と、センサが検知する検知エリアとを示す図である。図１に示すセンサ付化粧パネル１は、角部にセンサ部２を備え、図示しない空気調和機の室内機に装着される。センサ付化粧パネル１はベーン１１Ａ，１２Ａ，１３Ａ，１４Ａを備え、ベーン１１Ａ，１２Ａ，１３Ａ，１４Ａは検知エリア１１，１２，１３，１４の各々への吹出し口１１Ｂ，１２Ｂ，１３Ｂ，１４Ｂを有する。検知エリア１１，１２，１３，１４は、センサ付化粧パネル１の複数のベーンの各々の導風方向によって区分けされている。センサ部２は、検知エリア１１，１２，１３，１４における人の有無及び床温を検知する。なお、図１には、センサ部２の回転方向が示されている。
【００１２】
図２は、本発明に係る空気調和機の室内機に装着されるセンサ付化粧パネル１が備えるセンサ部２の実施の形態１の構成の一例を示す図である。図２に示すセンサ部２は、センサ付化粧パネル１に据え付けられる据付面２１０を有する固定部２１と、固定部２１に対して回転可能に支持されたアクチュエータである可動部２２と、可動部２２に固定された人検知センサ３及び床温検知センサ４と、を備える。図２に示すセンサ部２では、人検知センサ３の検知方向と床温検知センサ４の検知方向とは、可動部２２を基準とし、互いに逆向きになるように設置されている。すなわち、人検知センサ３の検知方向は、可動部２２を基準とし、床温検知センサ４の検知方向が１８０°回転した方向である。換言すると、人検知センサ３の検知方向は、可動部２２の中心軸を対称点とし、床温検知センサ４の検知方向の点対称な位置である。
【００１３】
人検知センサ３の一例は、物体から放射される赤外線放射エネルギーの変動を検知することによって、人検知センサ３の検知方向における人の有無を検知する赤外線センサである。床温検知センサ４の一例は、物体から放射される赤外線放射エネルギーを検知することによって、床温検知センサ４の検知方向における床面の温度を検知する赤外線センサである。
【００１４】
図３は、本実施の形態１における人検知センサ３と床温検知センサ４の配置位置の一例を示す断面図である。図３は、図２に示すセンサ部２のＡ１−Ａ２における断面を示している。図３に示すように、人検知センサ３は、可動部２２を基準とし、床温検知センサ４とは互いに逆向きになるように設置されている。図３では、人検知センサ３は、床温検知センサ４に対する配置角度が１８０°である。換言すると、人検知センサ３は、回転軸である可動部２２を基準とし、床温検知センサ４とは逆側に設置されている。
【００１５】
ただし、センサ部２の構成は、図２，３に示す形態に限定されるものではない。図４は、本実施の形態１のセンサ付化粧パネル１が備えるセンサ部２ａの構成の一例を示す図である。図４に示すセンサ部２ａは、床温検知センサ４の設置位置のみが図２に示すセンサ部２と異なる。
【００１６】
図５は、本実施の形態１における人検知センサ３と床温検知センサ４の配置位置の一例を示す図である。図５は、図４に示すセンサ部２のＢ１−Ｂ２における断面を示している。図５では、人検知センサ３は、床温検知センサ４に対する配置角度が９０°である。換言すると、人検知センサ３は、回転軸である可動部２２を基準とし、床温検知センサ４と直角をなす位置に設置されている。そして、人検知センサ３の検知方向は、可動部２２を基準とし、床温検知センサ４の検知方向から９０°回転した方向である。
【００１７】
図６は、本実施の形態１のセンサ付化粧パネルが設置された被空調空間の一例を示す図である。図６においては、被空調空間が９つのエリアに分割され、被空調空間の中心となるエリア１５の天井面に、空気調和機の室内機に装着されたセンサ付化粧パネル１が示されている。センサ付化粧パネル１の角部にはセンサ部２が示されている。図６に示す検知エリア１１，１２，１３，１４は、図１に示す検知エリア１１，１２，１３，１４に相当し、検知エリア１１，１２，１３，１４に隣接する位置をここでは非検知エリア１５ａ，１５ｂ，１５ｃ，１５ｄとする。センサ部２は、検知エリア１１，１２，１３，１４における人の有無及び床温を検知し、センサ付化粧パネル１の直下のエリア１５及び非検知エリア１５ａ，１５ｂ，１５ｃ，１５ｄにおける人の有無及び床温は検知しない。吹出口のベーンは、センサ付化粧パネル１の直下のエリア１５及び非検知エリア１５ａ，１５ｂ，１５ｃ，１５ｄの方向には向いていないからである。
【００１８】
図７は、本実施の形態１に係る空気調和機の室内機、人検知センサ及び床温検知センサの一構成例を示すブロック図である。図７に示す室内機３０は室内機３０の動作を制御する制御部３１を備え、人検知センサ３は人の存在の有無の検知結果を記録するメモリ３００を備え、床温検知センサ４は床温の検知結果を記録するメモリ４００を備え、メモリ３００及びメモリ４００に記録された検知結果は、制御部３１に出力される。なお、図示しないが、人検知センサ３及び床温検知センサ４は検知結果を出力する出力部を有し、室内機３０はこの検知結果が入力される入力部を有する。また、制御部３１は、室内機３０の動作を制御するのみならず、室内機３０に装着されたセンサ付化粧パネルの複数のベーンの動作も制御する。
【００１９】
図８は、図７に示す室内機３０、人検知センサ３及び床温検知センサ４の一動作例を示す図である。まず、室内機３０の電源が投入され、又は人検知センサ３及び床温検知センサ４が動作する動作モードに切り替わることで人検知センサ３及び床温検知センサ４が動作を開始すると、人検知センサ３が検知エリア１１内の人を検知してメモリ３００に記録し、床温検知センサ４が検知エリア１３の床温を検知してメモリ４００に記録する（Ｓ１１）。その後、可動部２２が時計回りに９０°回転して停止する（Ｓ１２）。
【００２０】
次に、人検知センサ３が検知エリア１４内の人を検知してメモリ３００に記録し、床温検知センサ４が検知エリア１２の床温を検知してメモリ４００に記録する（Ｓ１３）。その後、可動部２２が時計回りに９０°回転して停止する（Ｓ１４）。
【００２１】
次に、人検知センサ３が検知エリア１３内の人を検知してメモリ３００に記録し、床温検知センサ４が検知エリア１１の床温を検知してメモリ４００に記録する（Ｓ１５）。その後、可動部２２が時計回りに９０°回転して停止する（Ｓ１６）。
【００２２】
次に、人検知センサ３が検知エリア１２内の人を検知してメモリ３００に記録し、床温検知センサ４が検知エリア１４の床温を検知してメモリ４００に記録する（Ｓ１７）。
【００２３】
検知エリア１１，１２，１３，１４における人及び床温の検知が完了すると、人検知センサ３及び床温検知センサ４が、メモリ３００，４００に記録された検知エリア１１，１２，１３，１４における検知結果を室内機３０の制御部３１に出力する（Ｓ１８）。制御部３１は、検知結果に従って各吹出口のベーン及び吸込温度を補正し（Ｓ１９）、動作を終了する。
【００２４】
以上、本実施の形態１にて説明したように、人検知センサ及び床温検知センサを各々１つ有するセンサ部で各吹出口のベーンが向いた方向、すなわちベーンの導風方向のすべてのエリアの人検知及び床温検知を行うことができる。
【００２５】
なお、以上説明した本実施の形態１においては、センサ部はセンサ付化粧パネルに設けられるものとして説明したが本発明はこれに限定されるものではない。センサ部が室内機に設けられて、センサ付化粧パネルに設けた貫通孔により該センサ部が露出されて人検知及び床温検知可能な構成であってもよい。または、センサ付化粧パネルが装着されていない室内機にセンサ部が露出して設けられていてもよい。
【００２６】
なお、以上説明した本実施の形態１においては、センサ部の可動部の回転を時計回りであるとして説明したが本発明はこれに限定されるものではなく、反時計回りであってもよい。
【００２７】
なお、以上説明した本実施の形態１においては、センサ部の動作を、各検知エリアにおける人検知及び床温検知を一回のみ行う場合を説明しているが、その後の動作においては、前回の動作とは逆向きに回転させるとよい。一例として、時計回りに検知エリア１１，１２，１３，１４における人検知及び床温検知を行った後に、その位置から反時計回りに検知エリア１１，１２，１３，１４における人検知及び床温検知を行う。このように動作させると、可動部が時計回りの回転後に即座に反時計回りの回転を開始することができるため、無駄な動作を抑制して効率のよい運転が可能である。
【００２８】
以上本実施の形態１によれば、コスト増を抑えつつ、被空調空間のすべての吹出エリアにおける情報を効率よく検知可能である。センサ部の回転する可動部に固定された人の有無を検知する人検知センサの個数と床面の温度を検知する床温検知センサの個数を等しくし、各センサの個数は検知エリアの数、すなわち吹出口の数未満であればよく、ここでは各センサは４個未満であればよい。特に、本実施の形態１にて説明したように、人検知センサ及び床温検知センサを一つずつ設ける場合には、コストを大幅に削減することができる。
【００２９】
実施の形態２．
実施の形態１では、検知エリア１１，１２，１３，１４における人及び床温の検知を完了後に検知結果をまとめて室内機３０の制御部３１に出力する形態について説明したが、本発明はこれに限定されるものではない。本実施の形態２では、各エリアの人及び床温の検知を行うたびに検知結果を室内機３０に出力する形態について説明する。
【００３０】
図９は、本実施の形態２に係る空気調和機の室内機、人検知センサ及び床温検知センサの一構成例を示すブロック図である。図９において、室内機３０ａは、室内機３０ａの動作を制御する制御部３１及びメモリ５００を備え、人検知センサ３ａは人の存在の有無の検知結果を室内機３０ａに逐次出力し、床温検知センサ４ａは床温の検知結果を室内機３０ａに逐次出力し、メモリ５００に記録された検知結果は、制御部３１に出力される。なお、メモリ５００を備えることなく、人検知センサ３ａ及び床温検知センサ４ａの検知結果が直接制御部３１に出力される構成であってもよい。
【００３１】
図１０は、図９に示す室内機３０ａ、人検知センサ３ａ及び床温検知センサ４ａの一動作例を示す図である。まず、室内機３０ａの電源が投入され、又は人検知センサ３ａ及び床温検知センサ４ａが動作する動作モードに切り替わることで動作を開始すると、人検知センサ３ａが検知エリア１１内の人を検知し、床温検知センサ４ａが検知エリア１３の床温を検知する（Ｓ２１）。そして、人検知センサ３ａ及び床温検知センサ４ａは、検知エリア１１における人検知センサ３ａの検知結果及び検知エリア１３における床温検知センサ４ａの検知結果を室内機３０ａのメモリ５００に出力する（Ｓ２２）。その後、制御部３１がメモリ５００を参照して吹出口のベーン及び吸込温度を補正し（Ｓ２３）、可動部２２が時計回りに９０°回転して停止する（Ｓ２４）。
【００３２】
次に、人検知センサ３ａが検知エリア１４内の人を検知し、床温検知センサ４ａが検知エリア１２の床温を検知する（Ｓ２５）。そして、人検知センサ３ａ及び床温検知センサ４ａは、検知エリア１４における人検知センサ３ａの検知結果及び検知エリア１２における床温検知センサ４ａの検知結果を室内機３０ａのメモリ５００に出力する（Ｓ２６）。その後、制御部３１がメモリ５００を参照して吹出口のベーン及び吸込温度を補正し（Ｓ２７）、可動部２２が時計回りに９０°回転して停止する（Ｓ２８）。
【００３３】
次に、人検知センサ３ａが検知エリア１３内の人を検知し、床温検知センサ４ａが検知エリア１１の床温を検知する（Ｓ２９）。そして、人検知センサ３ａ及び床温検知センサ４ａは、検知エリア１３における人検知センサ３ａの検知結果及び検知エリア１１における床温検知センサ４ａの検知結果を室内機３０ａのメモリ５００に出力する（Ｓ３０）。その後、制御部３１がメモリ５００を参照して吹出口のベーン及び吸込温度を補正し（Ｓ３１）、可動部２２が時計回りに９０°回転して停止する（Ｓ３２）。
【００３４】
次に、人検知センサ３ａが検知エリア１２内の人を検知し、床温検知センサ４ａが検知エリア１４の床温を検知する（Ｓ３３）。そして、人検知センサ３ａ及び床温検知センサ４ａは、検知エリア１２における人検知センサ３ａの検知結果及び検知エリア１４における床温検知センサ４ａの検知結果を室内機３０ａのメモリ５００に出力する（Ｓ３４）。その後、制御部３１がメモリ５００を参照して吹出口のベーン及び吸込温度を補正し（Ｓ３５）、動作を終了する。
【００３５】
以上、本実施の形態２にて説明した構成によっても、１つのセンサ部で各吹出口のベーンが向いたすべてのエリアの人検知及び床温検知を行うことができ、さらにはすべての検知エリアを検知する前に吹出口のベーン及び吸込温度の補正を行うため、検知結果を迅速に室内機の制御に反映させることができる。
【００３６】
なお、本実施の形態２において、検知結果は室内機のメモリに記録しているが、これに限定されず、検知結果が制御部３１に直接入力されていてもよい。
【００３７】
実施の形態３．
実施の形態１，２では、本発明の一形態である室内機及びこの室内機に装着されるセンサ付化粧パネルについて説明したが、本発明はこれに限定されるものではない。実施の形態１，２にて説明したセンサ部が独立したセンサ装置も本発明に含まれる。本実施の形態では、このようなセンサ装置について説明する。
【００３８】
図１１は、本発明に係るセンサ装置の本実施の形態３の構成の一例を示す図である。図１１に示すセンサ装置４０は、図２に示すセンサ部２に外部出力端子４１が追加された構成である。
【００３９】
図１２は、本実施の形態３に係るセンサ装置と、既存の室内機との一構成例を示すブロック図である。図１２に示すセンサ装置４０は、図７に示す人検知センサ３及び床温検知センサ４を備える。既存の室内機３０Ａは、既存の室内機３０Ａの動作を制御する制御部３１を備える。図１２に示す既存の室内機３０Ａには、センサ装置４０の外部出力端子４１が接続され、その他の構成は図７の室内機３０と同様である。
【００４０】
図１３は、本実施の形態３に係るセンサ装置と、既存の室内機との一構成例を示すブロック図である。図１３に示すセンサ装置４０ａは、図９に示す人検知センサ３ａ及び床温検知センサ４ａを備える。既存の室内機３０Ａａは、既存の室内機３０Ａａの動作を制御する制御部３１及びメモリ５００を備える。図１３に示す既存の室内機３０Ａａには、センサ装置４０の外部出力端子４１が接続され、その他の構成は図９の室内機３０ａと同様である。
【００４１】
以上、本実施の形態３によれば、既存の室内機に対して実施の形態１，２で説明した室内機及びこの室内機に装着されるセンサ付化粧パネルと同様の効果を享受させることができる。
【００４２】
なお、本実施の形態３においては、既存の室内機に対してセンサ装置の外部出力端子が接続される形態を説明したが、本発明はこれに限定されず、センサ装置が既存の室内機のリモコンと同様の無線通信機能を有し、既存の室内機に対して無線通信によって検知結果に応じた指令を送信する形態であってもよい。なお、実施の形態１，２においてもセンサ部が室内機のリモコンと同様の無線通信機能を有し、この室内機に対して無線通信によって検知結果に応じた指令を送信する形態であってもよい。
【００４３】
なお、以上の実施の形態においてはセンサ部がセンサ付化粧パネルまたは室内機の角部に備えられる形態について説明したが本発明はこれに限定されるものではない。
【００４４】
なお、以上の実施の形態における検知結果が記録されるメモリは特定の形態に限定されるものではなく、一例として検知結果を一時的に記録することが可能な揮発性メモリを用いればよい。ただし、揮発性メモリに限定されるものではなく、不揮発性メモリであってもよい。
【００４５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４６】
１  センサ付化粧パネル、２，２ａ  センサ部、３，３ａ  人検知センサ、４，４ａ  床温検知センサ、１１，１２，１３，１４  検知エリア、１１Ａ，１２Ａ，１３Ａ，１４Ａ  ベーン、１１Ｂ，１２Ｂ，１３Ｂ，１４Ｂ  吹出し口、１５  エリア、１５ａ，１５ｂ，１５ｃ，１５ｄ  非検知エリア、２１  固定部、２２  可動部、３０，３０ａ，３０Ａ，３０Ａａ  室内機、３１  制御部、４０，４０ａ  センサ装置、４１  外部出力端子、２１０  据付面、３００，４００，５００  メモリ。
【図１】
2016121064.tif 000003
【図２】
2016121064.tif 000004
【図３】
2016121064.tif 000005
【図４】
2016121064.tif 000006
【図５】
2016121064.tif 000007
【図６】
2016121064.tif 000008
【図７】
2016121064.tif 000009
【図８】
2016121064.tif 000010
【図９】
2016121064.tif 000011
【図１０】
2016121064.tif 000012
【図１１】
2016121064.tif 000013
【図１２】
2016121064.tif 000014
【図１３】
2016121064.tif 000015
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
センサ部が接続された空気調和機の室内機であって、
前記センサ部は、回転する可動部に固定された人検知センサ及び床温検知センサを備え、
前記人検知センサは、前記人検知センサの検知方向における人の有無を検知し、
前記床温検知センサは、前記床温検知センサの検知方向における床面の温度を検知し、
前記人検知センサの検知方向と前記床温検知センサの検知方向とは前記可動部の中心軸を対称点として点対称であり、
前記人検知センサの個数と前記床温検知センサの個数が等しく、前記個数が吹出口の数未満であることを特徴とする空気調和機の室内機。
【請求項２】
センサ部が接続された天井設置型空気調和機の室内機であって、
前記センサ部は、回転する可動部に固定された人検知センサ及び床温検知センサを備え、
前記人検知センサは、前記人検知センサの検知方向における人の有無を検知し、
前記床温検知センサは、前記床温検知センサの検知方向における床面の温度を検知し、
前記人検知センサの検知方向は、前記可動部の中心軸を基準として前記床温検知センサの検知方向に対して９０°回転した方向であることを特徴とする空気調和機の室内機。
【請求項３】
前記人検知センサは、赤外線放射エネルギーの変動を検知することによって、検知方向における人の有無を検知する赤外線センサであり、
前記床温検知センサは、赤外線放射エネルギーを検知することによって、検知方向における床面の温度を検知する赤外線センサであることを特徴とする請求項１又は請求項２に記載の空気調和機の室内機。
【請求項４】
前記センサ部は、被空調空間に露出されていることを特徴とする請求項１から請求項３のいずれか一項に記載の空気調和機の室内機。
【請求項５】
人検知センサ及び床温検知センサを備えるセンサ装置であって、
前記人検知センサ及び前記床温検知センサは、回転する可動部に固定されており、
前記人検知センサは、前記人検知センサの検知方向における人の有無を検知し、
前記床温検知センサは、前記床温検知センサの検知方向における床面の温度を検知し、
前記人検知センサの検知方向と前記床温検知センサの検知方向とは前記可動部の中心軸を対称点として点対称であり、
前記人検知センサの個数と前記床温検知センサの個数が等しく、
前記人検知センサ及び前記床温検知センサの検知結果は外部出力可能であることを特徴とするセンサ装置。
【請求項６】
人検知センサ及び床温検知センサを備えるセンサ装置であって、
前記人検知センサ及び前記床温検知センサは、回転する可動部に固定されており、
前記人検知センサは、前記人検知センサの検知方向における人の有無を検知し、
前記床温検知センサは、前記床温検知センサの検知方向における床面の温度を検知し、
前記人検知センサの検知方向は、前記可動部の中心軸を基準として前記床温検知センサの検知方向に対して９０°回転した方向であることを特徴とするセンサ装置。
【請求項７】
前記人検知センサは、赤外線放射エネルギーの変動を検知することによって、検知方向における人の有無を検知する赤外線センサであり、
前記床温検知センサは、赤外線放射エネルギーを検知することによって、検知方向における床面の温度を検知する赤外線センサであることを特徴とする請求項５又は請求項６に記載のセンサ装置。
【請求項８】
請求項５から請求項７のいずれか一項に記載のセンサ装置が据え付けられたことを特徴とするセンサ付化粧パネル。
【請求項９】
複数のベーンを備え、
前記センサ装置は、前記複数のベーンの各々の導風方向によって区分けされた複数のエリア毎に人検知及び床温検知を行い、
人検知及び床温検知を行う度に前記可動部が回転することで前記複数のエリアにおける人検知及び床温検知を行うことを特徴とする請求項８に記載のセンサ付化粧パネル。
【手続補正２】
【補正対象書類名】明細書
【補正対象項目名】０００７
【補正方法】変更
【補正の内容】
【０００７】
上述した課題を解決し、目的を達成するために、本発明に係る空気調和機の室内機は、センサ部が接続された空気調和機の室内機であって、前記センサ部は、回転する可動部に固定された人検知センサ及び床温検知センサを備え、前記人検知センサは、前記人検知センサの検知方向における人の有無を検知し、前記床温検知センサは、前記床温検知センサの検知方向における床面の温度を検知し、前記人検知センサの検知方向と前記床温検知センサの検知方向とは前記可動部の中心軸を対称点として点対称であり、前記人検知センサの個数と前記床温検知センサの個数が等しく、前記個数が吹出口の数未満であることを特徴とする。
【国際調査報告】
2016121064.tif 000016
2016121064.tif 000017
2016121064.tif 000018
2016121064.tif 000019